(57)【要約】【課題】浴室のような多湿環境下でも鮮明な映像を観賞することを可能とする。【解決手段】少なくとも一面に映写面として機能するガラスを配置する浴室と、前記浴室と隣り合う更衣室と、前記ガラスと対向する位置に設置されて映像を投写するプロジェクターとからなる浴室用プロジェクターシステムにおいて、前記ガラスは少なくとも二枚のガラスからなる合わせガラスにより構成され、前記合わせガラスの少なくとも一枚のガラスは透明な導電膜を有する発熱ガラスとし、前記合わせガラスを構成する二枚のガラスの間には前記プロジェクターの映像が投写される部分のみを半透明の乳白色とするとともに、前記中間膜の前記プロジェクターの映像が投写されない部分を透明にする中間膜を設けたことを特徴とする浴室用プロジェクターシステムである。【選択図】図１
2005189783.tif 000002
【特許請求の範囲】
【請求項１】
少なくとも一面に映写面として機能するガラスを配置する浴室と、前記浴室と隣り合う更衣室と、前記ガラスと対向する位置に設置されて映像を投写するプロジェクターとからなる浴室用プロジェクターシステムにおいて、前記ガラスは少なくとも二枚のガラスからなる合わせガラスにより構成され、前記合わせガラスの少なくとも一枚のガラスは透明な導電膜を有する発熱ガラスとし、前記合わせガラスを構成する二枚のガラスの間には半透明の乳白色な中間膜を設けたことを特徴とする浴室用プロジェクターシステム。
【請求項２】
少なくとも一面に映写面として機能するガラスを配置する浴室と、前記浴室と隣り合う更衣室と、前記ガラスと対向する位置に設置されて映像を投写するプロジェクターとからなる浴室用プロジェクターシステムにおいて、前記ガラスは少なくとも二枚のガラスからなる合わせガラスにより構成され、前記合わせガラスの少なくとも一枚のガラスは透明な導電膜を有する発熱ガラスとし、前記合わせガラスを構成する二枚のガラスの間には前記プロジェクターの映像が投写される部分のみを半透明の乳白色とするとともに、前記中間膜の前記プロジェクターの映像が投写されない部分を透明にする中間膜を設けたことを特徴とする浴室用プロジェクターシステム。
【請求項３】
前記発熱ガラスは全面を発熱面とすることを特徴とする請求項１又は請求項２に記載の浴室用プロジェクターシステム。
【請求項４】
前記合わせガラスの映写面及び観像面には反射防止用エッチング加工を施したことを特徴とする請求項１乃至請求項３に記載の浴室用プロジェクターシステム。
【請求項５】
前記浴室と前記更衣室は隣接するように配置され、前記浴室と前記更衣室を隔てる側面に前記ガラスを配置し、前記プロジェクターは前記更衣室に配置されることを特徴とする請求項１乃至請求項４に記載の浴室用プロジェクターシステム。
【請求項６】
前記更衣室には一枚のミラーをセットしたボックスを配置し、前記ボックスの内部に前記プロジェクターを格納し、前記プロジェクターからの光束を前記合わせガラスの映写面に案内したことを特徴とする請求項１乃至請求項５に記載の浴室用プロジェクターシステ厶。
【請求項７】
前記更衣室は姿見を配置し、前記姿見は前記プロジェクターからの光束を反射し、前記姿見にて反射された反射光束が前記合わせガラスの映写面に投写されることを特徴とする請求項５に記載の浴室用プロジェクターシステム。
【請求項８】
前記姿見には透明な導電膜を有する発熱ガラスが貼付されることを特徴とする請求項７に記載の浴室用プロジェクターシステム。
【請求項９】
前記合わせガラスの更衣室側で、映写面から外れた位置にガラスを振動させて発音するエキサイダを取り付けたことを特徴とする請求項１乃至請求項８に記載の浴室用プロジェクターシステム。
【発明の詳細な説明】
【発明の詳細な説明】
【技術分野】
【０００１】  本発明は浴室・サウナ室・等で多湿な環境下でも快適な画像を観る事が出来、音楽も聞けるプロジェクターのシステムに関するものである。
【背景技術】
【０００２】  近年の生活洋式の変化に伴って、入浴中に映画、ビデオ等の映像（以下、単に「映像」という）を楽しみたいという要求が高まり、浴室の側壁にテレビ受像器を嵌め込む技術や、大画面を望む場合には、スクリーンとプロジェクターを用意し、側壁にスクリーンを掛ける又は嵌め込み、対向する側壁に設けたプロジェクターから投写する技術などが提案されてきた。【０００３】  しかし、浴室・更衣室は浴槽内の水蒸気により、湿度が非常に高く、浴室内のミラーだけでなく、更衣室内の姿見も曇ってしまう事が多く、上記のように浴室の側壁にテレビ受像器を嵌め込んだ場合や、スクリーンを浴室の側壁に掛けたり嵌め込んだりした場合には、映像が不鮮明な状態となるという問題があった。
【発明が解決しようとする課題】
【０００４】
【０００５】  本発明は、浴室のような多湿環境下でも鮮明な映像を観賞することを可能とする。
【課題を解決するための手段】
【０００６】本発明は、上記の課題に鑑み、少なくとも一面に映写面として機能するガラスを配置する浴室と、前記浴室と隣り合う更衣室と、前記ガラスと対向する位置に設置されて映像を投写するプロジェクターとからなる浴室用プロジェクターシステムにおいて、前記ガラスは少なくとも二枚のガラスからなる合わせガラスにより構成され、前記合わせガラスの少なくとも一枚のガラスは透明な導電膜を有する発熱ガラスとし、前記合わせガラスを構成する二枚のガラスの間には前記プロジェクターの映像が投写される部分のみを半透明の乳白色とするとともに、前記中間膜の前記プロジェクターの映像が投写されない部分を透明にする中間膜を設けたことを特徴とする浴室用プロジェクターシステムである。
【０００７】上記構成によれば、合わせガラスを構成するガラスの少なくとも一枚のガラスには透明な導電膜を有する発熱ガラスを使用することで、結露・曇りを防止して鮮明な映像の映写を可能とする。
【０００８】又ガラスにはプロジェクターの映像が投写される部分のみを半透明の乳白色とするとともに、前記中間膜の前記プロジェクターの映像が投写されない部分を透明とする中間膜を使用しているため、ガラスをスクリーンとして使用することを可能とするとともに、映写面部分以外を透明としたことで浴室の圧迫感を軽減することを可能である。
【０００９】前記発熱ガラスは必ずしもガラスの全面を発熱面としないが、好適には全面を発熱面とすることによって、ガラス上面で結露して水滴が垂下して映写に悪影響を与えることを防止することが可能である。
【００１０】また、浴室の内部の照明や更衣室の内部に配置された姿見などの反射物による余計な反射光がガラスに写りこむことで映像を不鮮明なものになるという問題を有しているが、これらの問題はガラスの映写面及び観像面には反射防止用エッチング加工を施すことで解決可能である。
【００１１】プロジェクターは浴室に配置しても良いが、より好適には更衣室に配置するとともに浴室と更衣室を隔てる側面にガラスを配置することによって、浴室を広く使用することが可能であり、また、防水機能付きのプロジェクターを必要とせず通常のプロジェクターを使用することである。
【００１２】プロジェクターを収納するボックスを設け、プロジェクターよりの光束は、ボックスの内部に設けたミラーによってガラスの映写面に投写することによって、短焦点レンズを使用すること無く、また、姿見の位置に制限を受けることなく、狭い更衣室を有効に活用することが可能である。
【００１３】また、更衣室にプロジェクターを配置してプロジェクターからの光束を映写面に直接投射する場合、プロジェクターから映写面までの距離が短いのでプロジェクターのレンズに短焦点レンズを使用することが有効であるが、一般に短焦点レンズは高価であり費用面で有益ではない。このような費用面の問題については、更衣室に姿見を配置し、前記姿見は前記プロジェクターからの光束を反射し、前記姿見にて反射された反射光束が前記合わせガラスの映写面に投写されるように構成することで安価に構成して解決可能である。
【００１４】尚、前記姿見には透明な導電膜を有する発熱ガラスが貼付されるによって、湿度の高い更衣室の内部でも結露・曇りを防止でき、姿見を反射鏡として使用することが可能である。
【００１５】また、スピーカなどの発音手段については、合わせガラスの映写面を形成する側にエキサイダを設置することによって、板材自体から音声が出るので、映像の方角と音声の発生位置が同一となり、聞く人の臨場感や立体感を高める効果をもたらし、平面型スピーカであるために、音声の指向性が非常に小さく全方位から聞き取れ、音源からの距離による音量の差も小さくなる等の機能的な利点を備えている。
【００１６】図１及び図２は、実施例１の概要を示す説明図であり、図３は、本発明に使用される合わせガラスの構成を示している。１は合わせガラスであり、２は浴室であり、３は更衣室であり、４はプロジェクターである。１１は合わせガラス１の映写面を有するガラスであり、１２は合わせガラス１の間に配置された中間膜であり、１３は合わせガラス１の観像面を有するガラスであり、１４は観像面を有するガラス１３に貼付された透明な導電膜であり、１５は合わせガラス１を固定するサッシ、１６は発熱のための電極、１７は発熱のために図示しない電源に接続されたリード線である。
【００１７】合わせガラス１は、半透明の乳白色に形成した中間膜１２が、映写面を有するガラス１１と観像面を有するガラス１３とによって狭持されるように構成されている。前記中間膜１２のプロジェクター４から映像が映写される部分のみを乳白色に形成することによって、ガラス１は映写スクリーンとしての機能を有し、前記中間膜１２の乳白色に形成した部分以外を透明に形成したことによって、浴室１に与える圧迫感を軽減することが可能である。
【００１８】前記観像面を有するガラス１３は浴室２に面して配置されており、前記ガラス１３の中間膜１２に面する側には透明な導電膜１４が配置されるとともにガラスの上部又は下部のサッシ１５を通過して電源（図示せず）に接続されている電極１６及びリード線１７に接続されている。このような構成によって、入浴時に映像を観賞する際にも前記ガラス１３の観像面には結露・曇りが生じず鮮明な映像を観賞することが可能である。また、前記の透明な導電膜１４はガラス１３の全面に配置することでガラス１３の上部で結露も生じず、ガラス１３の上部で結露を原因として水滴が垂下することを防止する。
【００１９】また、前記のガラス１１、１３は室内で使用され、更衣室３に面するガラス１１の映写面では更衣室３の内部の反射物による再反射や浴室２に面するガラス１３の観像面に浴室２の室内照明の写りこみにより、鮮明な映像の映写が困難となるという問題を有しているが、本実施例においては、前記ガラス１１の映写面及びガラス１３の観像面に反射防止用エッチング１８を施すことにより、前記の室内の反射物により生じる再反射や室内照明の写りこみを防止することが可能である。
【００２０】本実施例においては、プロジェクター４を更衣室３に配置したため、浴室を広く使用することが可能であり、また、防水機能付きのプロジェクターを必要とせず通常のプロジェクターを使用することである。
【００２１】また、前記のようにプロジェクター４を更衣室３に配置した場合、映写面を有するガラス１１とプロジェクター４の距離が近いため、光束を直接投写する場合には高価な短焦点レンズが必要となるが、本実施例においては、更衣室４に設けた姿見３１にプロジェクター４からの光束を反射し、前記姿見３１にて反射された反射光束が前記ガラス１１の映写面に投写されるように構成することで安価に構成することが可能である。
【００２２】尚、前記姿見３１には透明な導電膜を有する発熱ガラスが貼付されるにことよって、湿度の高い更衣室の内部でも結露・曇りを防止でき、姿見３１をプロジェクター４の反射鏡として使用することが可能である。
【００２３】また、スピーカなどの発音手段５については、ガラス１１の更衣室３に面する表面にエキサイダ５１、５２を設置することによって、板材自体から音声が出るので、映像の方角と音声の発生位置が同一となり、聞く人の臨場感や立体感を高める効果をもたらし、平面型スピーカであるために、音声の指向性が非常に小さく全方位から聞き取れ、音源からの距離による音量の差も小さくなる等の機能的な利点を備えている。
【００２４】図４は本発明の実施例２を示す説明図であり、プロジェクター４を収納するボックス４１である。前記プロジェクター４よりの光束は、前記ボックス４１の内部に設けたミラーによって前記ガラス１１の映写面に投写するものである。このような構成によって、短焦点レンズを使用すること無く、また、姿見の位置に制限を受けることなく、狭い更衣室を有効に活用することが可能である。
【発明の効果】
【００２５】本発明は、上記の如く構成したことにより、湿度の多い浴室などのガラスを使用した浴室用プロジェクターシステムにおいても、結露・曇りを防止して鮮明な映像の映写を可能とする。
【００２６】また、合わせガラスに使用した中間膜の半透明な乳白色部分を映写面にのみに形成し、その他の部分については透明に形成することによって、浴室の圧迫感を軽減し、快適に映像を観賞することを可能とする。
【００２７】本発明の発熱ガラスは、好適には全面を発熱面とすることによって、ガラス上面で結露して水滴が垂下して映写に悪影響を与えることを防止することが可能である。
【００２８】また、合わせガラスは浴室の内部の照明や更衣室の内部に配置された姿見などの反射物による余計な反射光がガラスに写りこむことで映像を不鮮明なものになるという問題を有していたが、これらの問題はガラスの映写面及び観像面には反射防止用エッチング加工を施すことで解決可能であり、鮮明な映像の映写が可能である。
【００２９】プロジェクターを更衣室に配置するとともに浴室と更衣室を隔てる側面にガラスを配置することによって、浴室を広く使用することが可能であり、また、防水機能付きのプロジェクターを必要とせず通常のプロジェクターを使用することである。
【００３０】また、更衣室にプロジェクターを配置する場合にも、更衣室に姿見を配置し、前記姿見は前記プロジェクターからの光束を反射し、前記姿見にて反射された反射光束が前記合わせガラスの映写面に投写されるように構成することで安価に構成することが可能である。
【００３１】尚、前記姿見には透明な導電膜を有する発熱ガラスが貼付するにことよって、湿度の高い更衣室の内部でも結露・曇りを防止でき、姿見を反射鏡として使用することが可能である。
【００３２】また、スピーカなどの発音手段については、合わせガラスの映写面を形成する側にエキサイダを設置することによって、板材自体から音声が出るので、映像の方角と音声の発生位置が同一となり、聞く人の臨場感や立体感を高める効果をもたらし、平面型スピーカであるために、音声の指向性が非常に小さく全方位から聞き取れ、音源からの距離による音量の差も小さくなる等の機能的な利点を備えている。
【００３３】プロジェクターを収納するボックスを設け、プロジェクターよりの光束は、ボックスの内部に設けたミラーによってガラスの映写面に投写することによって、短焦点レンズを使用すること無く、また、姿見の位置に制限を受けることなく、狭い更衣室を有効に活用することが可能である。
【図面の簡単な説明】
【図１】実施例１の浴室用プロジェクターシステムの概要を示す平面図である。
【図２】実施例１の浴室用プロジェクターシステムの概要を示す側面図である。
【図３】本発明に用いられる合わせガラスの示す図であり、（ａ）は側面断面図であり、（ｂ）は平面図である。
【図４】実施例２の浴室用プロジェクターシステムの概要を示す平面図である。
【図５】実施例２の浴室用プロジェクターシステムの概要を示す側面図である。
【符号の説明】
１  合わせガラス
２  浴室
３  更衣室
４  プロジェクター
５  発音手段
１１  ガラス
１２  中間膜
１３  ガラス
１４  透明導電膜
１５  サッシ
１６  電極
１７  リード
１８  反射防止用エッチング
３１  姿見
４１  ボックス
５１  エキサイダ
５２  エキサイダ
【図１】
2005189783.tif 000003
【図２】
2005189783.tif 000004
【図３】
2005189783.tif 000005
【図４】
2005189783.tif 000006
【図５】
2005189783.tif 000007